(57)【要約】【課題】ＰＯＳ端末の盗難および不正に位置移動した店舗の把握ができるＰＯＳシステムおよびプリンタを提供する。【解決手段】ＰＯＳ端末１によってカードの決済処理を行う。ＰＯＳ端末１に備えられているＧＰＳ受信装置３でＰＯＳ端末の現在の位置情報を取得する。現在の位置情報とＰＯＳ端末１の設置時の登録位置情報とが一致するかどうかを判断する。位置情報とＰＯＳ端末１の登録位置情報とが一致しなければＰＯＳ端末１の機能を停止させ、位置情報とＰＯＳ端末１の設置時の登録位置情報とが一致すればＰＯＳ端末１の機能の実施を許可する。【選択図】  図１
2005301826.tif 000002
【特許請求の範囲】
【請求項１】
ＰＯＳ端末によってカードの決済処理を行うＰＯＳシステムであって、
前記ＰＯＳ端末に備えられているＧＰＳ受信装置で前記ＰＯＳ端末の現在の位置情報を取得する処理と、
前記ＰＯＳ端末の設置時の位置情報を前記ＰＯＳ端末に登録する処理と、
カード決済処理時に前記ＰＯＳ端末の位置情報を取得する処理と、
前記ＰＯＳ端末の前記登録位置情報と前記位置情報が一致するかどうかを判断する処理と、
前記ＰＯＳ端末の前記登録位置情報と前記位置情報が一致しなければ前記ＰＯＳ端末の機能を停止させる処理と、
前記ＰＯＳ端末の前記登録位置情報と前記位置情報が一致すれば前記ＰＯＳ端末の機能の実施を許可する処理と、
を有することを特徴とするＰＯＳシステム。
【請求項２】
請求項１に記載のＰＯＳシステムにおいて、
前記ＰＯＳ端末設置時に、
前記ＰＯＳ端末の登録位置情報を通信回線を介してカード会社のコンピュータへ送信する処理と、
前記カード会社のコンピュータは受信した前記登録位置情報に基づいて割り当てたＩＤ番号を前記ＰＯＳ端末に送信する処理と、
前記ＰＯＳ端末は受信した前記ＩＤ番号を記憶する処理と、
カードの決済処理時に前記ＰＯＳ端末は位置情報と前記ＩＤ番号を前記カード会社のコンピュータに送信する処理と、
を有することを特徴とするＰＯＳシステム。
【請求項３】
請求項１または２に記載のＰＯＳシステムにおいて、
前記カード会社のコンピュータは、前記ＰＯＳ端末のＩＤ番号と登録位置情報および時刻を管理しており、前記ＰＯＳ端末よりカード決済処理時に通信回線を介して送信される位置情報とＩＤ番号およびカード情報を受信し、前記ＰＯＳ端末から受信した情報と管理している前記ＰＯＳ端末の情報および時刻に基づき同一の前記カード情報を持つカードが移動不可能な時間内に異なる複数場所の前記ＰＯＳ端末で使用されようとしていると判断した場合、前記カードが不正なカードであると判断して、当該カードが使用されようとしているＰＯＳ端末に当該カードの使用を不可にする処理と、を有することを特徴とするＰＯＳシステム。
【請求項４】
請求項１から３のいずれか一項に記載のＰＯＳシステムにおいて、
前記カード会社のコンピュータはＰＯＳ端末を含む端末で同一カードが過去に使用された位置情報を管理しており、前記ＰＯＳ端末からの位置情報に基づき前記カードが既使用の位置情報と異なる遠隔地で使用されようとしていると判断した場合、当該カードが使用されようとしているＰＯＳ端末に前記カード会社のコンピュータから受信した前記遠隔地で使用されようとしているとの判断結果の情報に基づき、本人確認を促す案内を行わせる処理をさらに有することを特徴とするＰＯＳシステム。
【請求項５】
ＰＯＳ端末によってカードの決済処理を行うＰＯＳシステムであって、
前記ＰＯＳ端末は、位置情報を取得するＧＰＳ受信装置およびカード読取装置を内蔵するプリンタを備え、
前記カード読取装置においてカードが読み取られたと判断すると、前記ＧＰＳ受信装置により前記プリンタの現在の位置情報を取得するとともに、当該位置情報と前記プリンタの登録位置情報とが一致するかどうかを判断する判断部と、
前記位置情報と前記プリンタの登録位置情報とが一致しなければ前記ＰＯＳ端末におけるカード決済機能を停止させる停止部と、
を備えたことを特徴とするＰＯＳシステム。
【請求項６】
請求項５に記載のＰＯＳシステムにおいて、
前記停止部は、前記位置情報と前記プリンタの登録位置情報とが一致しなければ前記プリンタの機能を停止させることを特徴とするＰＯＳシステム。
【請求項７】
ＰＯＳ端末によってカードの決済処理を行うＰＯＳシステムであって、
前記ＰＯＳ端末は、位置情報を取得するＧＰＳ受信装置およびカード読取装置を内蔵するプリンタを備え、
前記カード読取装置においてカードが読み取られたと判断すると、前記ＧＰＳ受信装置により前記プリンタの現在の位置情報を取得するとともに、当該位置情報と前記プリンタの登録位置情報とが一致するかどうかを判断する判断部と、
前記位置情報と前記プリンタの登録位置情報とが一致しなければ前記プリンタの機能を停止させる停止部と、
を備えたことを特徴とするＰＯＳシステム。  
【請求項８】
請求項５から７のいずれか一項に記載のＰＯＳシステムにおいて、
前記プリンタ設置時に前記ＧＰＳ受信装置により取得された前記プリンタの位置情報をカード会社のコンピュータへ送信する送信部と、
前記カード会社のコンピュータより前記登録位置情報と前記プリンタ、前記ＧＰＳ受信装置、前記カード読取装置のうち少なくとも前記プリンタのＩＤ番号とを前記プリンタが受信して記憶するメモリと、
を有することを特徴とするＰＯＳシステム。
【請求項９】
請求項５から８のいずれか一項に記載のＰＯＳシステムにおいて、
前記位置情報と前記プリンタの登録位置情報とが一致すると判断しても、  
前記カード会社のコンピュータは、前記プリンタのＩＤ番号と登録位置情報および時刻を管理しており、前記ＰＯＳ端末よりカード決済処理時に通信回線を介して送信される前記プリンタの位置情報とＩＤ番号およびカード情報を受信し、前記ＰＯＳ端末から受信した情報と管理している前記プリンタの情報および時刻に基づき同一の前記カード情報を持つカードが移動不可能な時間内に異なる複数場所の前記ＰＯＳ端末で使用されようとしていると判断した場合、前記カードが不正なカードであると判断して、当該カードが使用されようとしているＰＯＳ端末に当該カードの使用を不可にする処理と、を有することを特徴とするＰＯＳシステム。
【請求項１０】
請求項５から９のいずれか一項に記載のＰＯＳシステムにおいて、
前記カード会社のコンピュータはＰＯＳ端末を含む端末で同一カードが過去に使用された位置情報を管理しており、前記ＰＯＳ端末からの情報に基づき前記カードが既使用情報と異なる遠隔地で使用されようとしていると判断した場合に、当該カードが使用されようとしているＰＯＳ端末に前記カード会社のコンピュータから受信した前記遠隔地で使用されようとしているとの判断結果の情報に基づき、本人確認を促す案内を行わせることを特徴とするＰＯＳシステム。
【請求項１１】
請求項６から１０のいずれか一項に記載のＰＯＳシステムを構成するプリンタであって、
現在の位置情報を取得する前記ＧＰＳ受信装置と、
前記カード読取装置と、
前記現在の位置情報と設置時に登録した登録位置情報とが一致するかどうかを判断する前記判断部と、
前記位置情報と前記登録位置情報とが一致しなければ不正に移動されたとして機能を停止させる前記停止部とを備えたことを特徴とするプリンタ。
【発明の詳細な説明】
【技術分野】
【０００１】
本発明は、カードによる商品購入やキャッシングにおいて、ＰＯＳシステムおよびカードの不正使用を防止するための、ＰＯＳシステムおよびプリンタに関する。
【背景技術】
【０００２】
従来、カードの不正使用を防止する方法は、紛失、盗難等の届け出のあったカードの情報をホストコンピュータに記憶させておくとともに、当該カードの使用回数の情報も記憶させるものである。届け出のあった当該カードが使用された場合に、決済不可であることを表示するだけでなく、複数回目の使用時には回収されるべき不正使用カードであることが容易に認識できる。各店舗においてカードの不正使用に対する応対が統一し易くなる。この方法は、特許文献１に開示されている。
【０００３】
また、特許文献２には、ＧＰＳ（Global  Positioning  System）による位置情報を利用したカード認証システムが開示されている。この方法によれば、店舗のＰＯＳ（Point  Of  Sales）端末にＧＰＳを組み込み、カード利用者はカードとカード利用者専用のＧＰＳ機能付き携帯電話を所持する。カードの利用時、ＰＯＳ端末のＧＰＳによる位置情報と携帯電話のＧＰＳによる位置情報とが一致するかどうかをチェックする。この機能により、カード利用者が知らないうちに偽造された複製カードの使用、即ち特許文献１の方法ではチェックできない不正使用を防止できる。
【０００４】
【特許文献１】特開平６−２６６７３８号公報
【特許文献２】特開２００３−１５０８８３号公報
【発明の開示】
【発明が解決しようとする課題】
【０００５】
近年はこれらの不正使用に加え、ＰＯＳ端末を盗み店舗を装って不正使用したり、ＰＯＳ端末を顧客の目に触れない店舗の奥などに移動しておき、預かった顧客のカードを不正使用するなど、正規のカードを用いて不正使用するケースが発生している。しかし、これら従来の技術では正規の店舗における盗難カードや偽造カード等による不正使用は防止できるが、店舗を装ってまたは店舗が顧客の正規のカードを使いＰＯＳ端末に対し行う不正使用に対して、その不正の発見はできないという問題があった。
【０００６】
そこで本発明は、ＰＯＳ端末に対して行われる不正使用を防止することができるＰＯＳシステムおよびプリンタを提供することを目的とする。
【課題を解決するための手段】
【０００７】
本発明のＰＯＳシステムは、ＰＯＳ端末によってカードの決済処理を行うＰＯＳシステムであって、ＰＯＳ端末に備えられているＧＰＳ受信装置でＰＯＳ端末の現在の位置情報を取得する処理と、ＰＯＳ端末の設置時の位置情報をＰＯＳ端末に登録する処理と、カード決済処理時にＰＯＳ端末の位置情報を取得する処理と、ＰＯＳ端末の前記登録位置情報と位置情報とが一致するかどうかを判断する処理と、ＰＯＳ端末の登録位置情報と位置情報とが一致しなければＰＯＳ端末の機能を停止させる処理と、ＰＯＳ端末の登録位置情報と位置情報とが一致すればＰＯＳ端末の機能の実施を許可する処理とを有する。
【０００８】
このＰＯＳシステムによれば、カード使用時に、ＰＯＳ端末のＧＰＳ受信装置が受信した現在の位置情報と、登録位置情報とを比較する。現在の位置情報と登録位置情報とが一致していなければ、当該ＰＯＳ端末の機能を停止させ使用できなくする。よって盗難等によりＰＯＳ端末が不正に移動されて使用されている場合は、ＰＯＳ端末によるカード決済処理が不可能になる。一方、一致すればカード決済を行う。従って、盗難等されたＰＯＳ端末を設置している店舗等による不正な使用を防止でき、また不正使用しようとしている場所を特定することもできる。
【０００９】
この場合、ＰＯＳ端末設置時に、ＰＯＳ端末の登録位置情報を通信回線を介してカード会社のコンピュータへ送信する処理と、カード会社のコンピュータは受信した登録位置情報に基づいて割り当てたＩＤ番号をＰＯＳ端末に送信する処理と、ＰＯＳ端末は受信したＩＤ番号を記憶する処理と、カードの決済処理時にＰＯＳ端末は位置情報とＩＤ番号をカード会社のコンピュータに送信する処理と、を有することが好ましい。
【００１０】
この構成によれば、ＰＯＳ端末の設置時に、ＰＯＳ端末のＧＰＳ受信装置が受信した現在の位置情報をカード会社のコンピュータへ送信する。カード会社のコンピュータは、受信した位置情報をＰＯＳ端末の設置位置として登録し、その位置情報を登録位置情報としてＰＯＳ端末へ送信する。その際ＰＯＳ端末の固有番号であるＩＤ番号（Identification  number）も同時にＰＯＳ端末へ送信する。ＰＯＳ端末は、登録位置情報とＩＤ番号を記憶する。従って、カード決済時に、ＰＯＳ端末とカード会社のコンピュータとの間でこれらの情報の確認ができる。
【００１１】
また、カード会社のコンピュータは、ＰＯＳ端末のＩＤ番号と登録位置情報および時刻を管理しており、ＰＯＳ端末よりカード決済処理時に通信回線を介して送信される位置情報とＩＤ番号およびカード情報を受信し、ＰＯＳ端末から受信した情報と管理しているＰＯＳ端末の情報および時刻に基づき同一のカード情報を持つカードが移動不可能な時間内に異なる複数場所のＰＯＳ端末で使用されようとしていると判断した場合、カードが不正なカードであると判断して、当該カードが使用されようとしているＰＯＳ端末に当該カードの使用を不可にする処理を行わせる処理と、を有することが好ましい。
【００１２】
この構成によれば、カード決済時にカードが使われようとしている位置の情報を都度確認できる。そのため、不正な複製カードが、移動不可能な時間内に遠く離れた複数場所で使用されようとしている場合や、同時に異なる複数場所で使用されようとしている場合、その不正使用を事前に把握してカードを使用停止にできる。
【００１３】
さらに、カード会社のコンピュータはＰＯＳ端末を含む端末で同一カードが過去に使用された位置情報を管理しており、ＰＯＳ端末からの位置情報に基づきカードが既使用の位置情報と異なる遠隔地で使用されようとしていると判断した場合、当該カードが使用されようとしているＰＯＳ端末にカード会社のコンピュータから受信した遠隔地で使用されようとしているとの判断結果の情報に基づき、本人確認を促す案内を行わせる処理をさらに有することが好ましい。
【００１４】
この構成によれば、従来の使用場所と異なる遠隔地などで、カードが使われようとしているときに、本人確認の必要を店舗側に促すことができる。
【００１５】
本発明のＰＯＳシステムは、ＰＯＳ端末によってカードの決済処理を行うＰＯＳシステムであって、ＰＯＳ端末は、位置情報を取得するＧＰＳ受信装置およびカード読取装置を内蔵するプリンタを備え、カード読取装置においてカードが読み取られたと判断すると、ＧＰＳ受信装置によりプリンタの現在の位置情報を取得するとともに、当該位置情報とプリンタの登録位置情報とが一致するかどうかを判断する判断部と、位置情報とプリンタの登録位置情報とが一致しなければＰＯＳ端末におけるカード決済機能を停止させる停止部とを備えている。また、停止部は、位置情報とプリンタの登録位置情報とが一致しなければプリンタの機能を停止させることが好ましい。
【００１６】
このＰＯＳシステムによれば、ＰＯＳ端末に備えられているプリンタが、ＧＰＳ受信装置とカード読取装置とを内蔵している。カード使用時に、ＰＯＳ端末のＧＰＳ受信装置が受信した現在の位置情報と、登録位置情報とを判断部で比較する。現在の位置情報と登録位置情報とが一致していなければ当該ＰＯＳ端末の機能を停止部によって停止させ使用できなくする。よって盗難等によりＰＯＳ端末が不正に移動されて使用されている場合は、ＰＯＳ端末によるカード決済処理が不可能になる。一方、一致すればカード決済を行う。従って、盗難等されたＰＯＳ端末を設置している店舗等による不正な使用を防止できる。さらにはカード決済の機能だけでなく、プリンタの機能も停止させて不正な使用を防止することもできる。
【００１７】
本発明のＰＯＳシステムは、ＰＯＳ端末によってカードの決済処理を行うのＰＯＳシステムであって、ＰＯＳ端末は、位置情報を取得するＧＰＳ受信装置およびカード読取装置を内蔵するプリンタを備え、カード読取装置においてカードが読み取られたと判断すると、ＧＰＳ受信装置によりプリンタの現在の位置情報を取得するとともに、当該位置情報とプリンタの登録位置情報とが一致するかどうかを判断する判断部と、位置情報とプリンタの登録位置情報とが一致しなければプリンタの機能を停止させる停止部とを備えたことが好ましい。  
【００１８】
このＰＯＳシステムによれば、ＰＯＳ端末に備えられているプリンタが、ＧＰＳ受信装置とカード読取装置とを内蔵しており、カード使用時に、ＰＯＳ端末のＧＰＳ受信装置が受信した現在の位置情報と、登録位置情報とを判断部で比較する。現在の位置情報と登録位置情報が一致していなければ、停止部によってＰＯＳ端末の機能を停止させ使用できなくする。よって盗難等によりＰＯＳ端末が不正に移動されて使用されている場合は、ＰＯＳ端末によるカード決済処理が不可能になる。一方、一致すればカード決済を行う。従って、盗難等されたＰＯＳ端末を設置している店舗等による不正な使用を防止できる。
【００１９】
この場合、プリンタ設置時にＧＰＳ受信装置により取得されたプリンタの位置情報をカード会社のコンピュータへ送信する送信部と、カード会社のコンピュータより登録位置情報とプリンタ、ＧＰＳ受信装置、カード読取装置のうち少なくともプリンタのＩＤ番号とをプリンタが受信して記憶するメモリとを有することが好ましい。
【００２０】
この構成によれば、ＰＯＳ端末の設置時に、プリンタのＧＰＳ受信装置が受信した現在の位置情報をカード会社へ送信する。カード会社は、受信した位置情報をプリンタの設置位置として登録し、その位置情報を登録位置情報としてプリンタへ送信する。その際プリンタ、ＧＰＳ受信装置、カード読み取り装置のうち少なくともプリンタのＩＤ番号を同時に送信する。プリンタは、登録位置情報とＩＤ番号を記憶する。従って、カード決済時に、プリンタとカード会社との間でこれらの情報の確認ができる。
【００２１】
そして、位置情報とプリンタの登録位置情報とが一致すると判断しても、カード会社のコンピュータは、プリンタのＩＤ番号と登録位置情報および時刻を管理しており、ＰＯＳ端末よりカード決済処理時に通信回線を介して送信されるプリンタの位置情報とＩＤ番号およびカード情報を受信し、ＰＯＳ端末から受信した情報と管理しているプリンタの情報および時刻に基づき同一のカード情報を持つカードが移動不可能な時間内に異なる複数場所のＰＯＳ端末で使用されようとしていると判断した場合、カードが不正なカードであると判断して、当該カードが使用されようとしているＰＯＳ端末に当該カードの使用を不可にする処理を行わせることが好ましい。
【００２２】
この構成によれば、カード決済時にカードが使われている位置の情報を都度確認し、登録位置情報と一致していればカード決済を行う。その際、不正な複製カードが、移動不可能な時間内に遠距離の複数場所でカードが使用されようとしている場合や、同時に複数場所で使用されようとしている場合に、その不正使用を事前に把握することが可能になり、当該カードを使用停止にできる。
【００２３】
また、カード会社のコンピュータはＰＯＳ端末を含む端末で同一カードが過去に使用された位置情報を管理しており、ＰＯＳ端末からの情報に基づきカードが既使用情報と異なる遠隔地で使用されようとしていると判断した場合に、当該カードが使用されようとしているＰＯＳ端末にカード会社のコンピュータから受信した遠隔地で使用されようとしているとの判断結果の情報に基づき、本人確認を促す案内を行わせることが好ましい。
【００２４】
この構成によれば、従来の使用場所と異なる遠隔地などで、カードが使われようとしているときに、ＰＯＳ端末を通じて本人確認の必要を店舗側に促すことができる。
【００２５】
本発明のプリンタは、ＰＯＳシステムを構成するプリンタであって、現在の位置情報を取得するＧＰＳ受信装置と、カード読取装置と、現在の位置情報と設置時に登録した登録位置情報とが一致するかどうかを判断する判断部と、位置情報と登録位置情報とが一致しなければ不正に移動されたとして機能を停止させる停止部とを備えている。
【００２６】
このプリンタによれば、カード使用時にＧＰＳ受信装置が受信した現在の位置情報と、プリンタを設置する際に登録した登録位置情報とを比較する判断部と、現在の位置情報と登録位置情報とが一致していなければ、プリンタが不正に移動されて使用されていることになるため、機能を停止させ使用できなくする停止部とを備えている。従って、盗難等されたプリンタを設置している店舗等による不正な使用を防止できる。また、プリンタの仕様は通常公開されておらず、プリンタにＧＰＳ受信装置やカード読取装置を組み込むことにより、詳細仕様が公開されているコンピュータに組み込む場合と比べ、不正な改造等がなされにくい。さらにプリンタに不正防止の機能を分担させることで、ＰＯＳシステムのソフトウェアの負担も軽減され、ソフトウェアを変更する際も簡単に済む。
【発明を実施するための最良の形態】
【００２７】
以下に図面を参照して本発明のＰＯＳシステムおよびプリンタについて説明する。
【００２８】
図１は、ＧＰＳの位置情報を利用したＰＯＳシステムの構成図である。このシステムの構成は、ＰＯＳ端末１と、ＰＯＳ端末１に備えられ上空のＧＰＳ衛星２からの位置情報信号を受信するＧＰＳ受信装置３と、ＰＯＳ端末１を制御するホストコンピュータ４Ａとから成る。ＰＯＳ端末１は、ホストコンピュータ４Ａを介して複数のカード会社のホストコンピュータ４Ｂ、４Ｃと接続されている。
【００２９】
図２は、ＰＯＳ端末の構成を示す構成図である。ＰＯＳ端末１は、ＧＰＳ受信装置３と、カード読取装置５と、キーボードやバーコードリーダによる入力装置６と、入力内容などを表示する表示装置７と、明細票、レシートなどを印刷するＰＯＳプリンタ９とを備えている。
【００３０】
このＰＯＳ端末１を設置する時に、設置場所の位置情報をＧＰＳ受信装置３が受信し、ＰＯＳ端末１に記憶する。同時にカード会社の、例えばホストコンピュータ４Ｂにこの位置情報が送信され、登録位置情報として記憶される。さらに、カード会社のホストコンピュータ４ＢからＰＯＳ端末１の固有番号であるＩＤ番号が付与され、ＰＯＳ端末１に記憶される。
【００３１】
これらの構成によるシステムにおいてカードが使用される場合、まず、カードがカード読み取り装置５によって読み取られ、カードの暗証番号による顧客確認がなされる。この時、ＧＰＳ受信装置３によってＰＯＳ端末１の現在位置の情報が受信される。受信された現在の位置情報は、カード情報を含む顧客確認の情報およびＰＯＳ端末１のＩＤ番号と共に、該当するカード会社のホストコピュータ４Ｂへ送信されて、ホストコピュータ４Ｂの登録情報と照合される。
【００３２】
照合の結果、現在の位置情報とＰＯＳ端末１の設置時の登録位置情報とが一致すれば、ＰＯＳ端末１は、正規位置に設置されているとホストコピュータ４Ｂによって判断される。一致しない場合、ＰＯＳ端末１は、不正に移動されたとホストコピュータ４Ｂによって判断され、ホストコンピュータ４Ａを介してＰＯＳ端末１の機能を停止させられる。こうして、ＰＯＳ端末１の盗難等による不正使用や、設置店舗の不正なＰＯＳ端末１の移動を察知できる。また不正使用を行おうとしている場所が特定でき、警備会社や警察および他クレジット会社等に不正使用を行おうとしている店舗の場所を特定して通報することができる。
【００３３】
また、ホストコンピュータ４Ｂは、カードが使用されようとする際に、都度、ＧＰＳ受信装置３によりＰＯＳ端末１の位置確認とカード情報を含む顧客確認が行われると共にホストコンピュータ４Ｂに内蔵されている図示していない時計により時刻が把握される。そのため、移動不可能な時間内での異なる複数場所での使用や、複数の偽造カードの同時使用が即把握でき、不正使用の被害を未然に防げる。さらに、信用照会端末であるＣＡＴ（Credit  Authorization  Terminal）にＧＰＳ受信装置３を取り付ければ、一層、カード認証の精度を高められる。以下に、ＧＰＳ受信装置３と、カード読み取り装置５とを内蔵したプリンタ８について具体的に説明する。
【００３４】
図３は、本発明のプリンタの構成図である。プリンタ８は、サーマル方式のＰＯＳプリンタの例で示す。プリンタ８は、ＧＰＳ受信装置３と、ＩＣカード読取／書込装置５と、ＰＯＳプリンタ９とを内蔵している。図２においてＰＯＳ端末１へ個別に組み込まれているＧＰＳ受信装置３、カード読取装置５、ＰＯＳプリンタ９を一体化して構成したものである。この場合、カードは、情報の書き込みが可能で多用途に使用できるＩＣカード１９のクレジットカードである。また、カード読取装置５は、ＩＣカード１９に対応するＩＣカード読取／書込装置５である。即ち、プリンタ８は、カードの認証および決済の可否機能を保有している。
【００３５】
ＰＯＳプリンタ９は、被印刷紙のロール紙１０と、ロール紙１０に印刷を行う印刷ヘッド１１と、印刷ヘッド１１へロール紙１０を押圧すると共にロール紙１０を搬送するプラテン１２と、基板１３と、ＧＰＳ受信装置３、ＩＣカード読取／書込装置５およびホストコンピュータ４Ａ間のデータ入出力を行うインタフェース１４と、各種情報等を記憶するメモリ１５と、ＣＰＵ（Central  Processing  Unit）、ＲＯＭ（Read  Only  Memory）およびＲＡＭ（Random  Access  Memory）を有する制御部１６と、ＧＰＳ受信装置３、ＩＣカード読取／書込装置５およびＰＯＳプリンタ９を接続する接続ケーブル１７と、電源１８とを備えている。制御部１６は、送信部、判断部および停止部としての機能を有している。
【００３６】
このプリンタ８を利用するクレジット決済の流れを簡単に説明する。まずＩＣカード１９の情報をＩＣカード読取／書込装置５で読み取る。そして、暗証番号による顧客確認、ＧＰＳ受信装置３による現在位置情報の取得、現在位置情報を基にしてプリンタ８が設置時に登録した位置に正しく設置されているかどうかの確認、ＩＣカード１９が不正使用されていないかの確認を経て、異常な状態でなければＩＣカード１９による決済がなされる。
【００３７】
決済内容は、ロール紙１０に印刷されてプリンタ８からクレジット明細票として排出される。具体的には、ロール紙１０は、プラテン１２によって印刷ヘッド１１に押し付けられ、印字ヘッド１１の発熱により印字データを印刷が行われ、プラテン１２の回転により順次搬送され、図示しないカッタによって切断され、明細票として顧客に渡される。ＧＰＳ受信装置３、ＩＣカード読取／書込装置５からの情報は、接続ケーブル１７、インタフェース１４を通して制御部１６へ送られ、さらにホストコンピュータ４Ａを介して、この場合カード会社のホストコンピュータ４Ｂ、４Ｃへ送られて照合が行われる。
【００３８】
これらの流れをフローチャートを参照して詳しく説明する。図４は、プリンタ８の設置時の処理を示すフローチャートである。フローチャートでは、ＧＰＳ受信装置３をＧＰＳと記載し、ＩＣカード読取／書込装置５をカードＲ／Ｗと記載している。
【００３９】
最初に、処理Ｓ１でプリンタ８をＰＯＳ端末１を介してホストコンピュータ４Ａへ接続する。次に、処理Ｓ２において、プリンタ８は設置された場所の位置情報を取得する。位置情報は、ＧＰＳ受信装置３によってＧＰＳ衛星２からのＧＰＳ信号を受信して、現在の位置を特定する。次に、処理Ｓ３で現在の位置情報が取得できたかどうかを確認し、取得できなければ処理Ｓ４において、位置情報を取得できない状態の異常内容を表示した後フローを終了する。
【００４０】
処理Ｓ３で位置情報を取得できれば、処理Ｓ５に進み、プリンタ８は、クレジット会社（カード会社）のホストコンピュータ４Ｂ、４Ｃへプリンタ８が設置されている現在の位置情報を送信する。この位置情報が、クレジット会社が設置認可したプリンタ８の登録位置情報となる。位置情報の送信は、制御部１６の送信部が行う。次に、処理Ｓ６でクレジット会社のホストコンピュータ４Ｂ、４Ｃへ位置情報が送信できたことを確認する。送信できない場合は、処理Ｓ４で異常内容を表示した後フローを終了する。
【００４１】
処理Ｓ６において位置情報の送信ができれば、プリンタ８は、処理Ｓ７でクレジット会社のホストコンピュータ４Ｂからプリンタ８の登録位置情報と、プリンタ８、ＧＰＳ受信装置３およびＩＣカード読取／書込装置５のそれぞれのＩＤ番号を受信する。ＩＤ番号は各装置の固有の番号であって、ＩＣカード１９の決済時に、登録位置情報とともにこれらのＩＤ番号が認証に用いられる。
【００４２】
そして、処理Ｓ８において、これら登録位置情報およびＩＤ番号が受信できたか否かを判断する。受信できない場合、処理Ｓ４で異常内容を表示した後フローを終了する。処理Ｓ８で受信できれば、処理Ｓ９にて登録位置情報と、プリンタ８、ＧＰＳ受信装置３およびＩＣカード読取／書込装置５の各ＩＤ番号とをプリンタ８のメモリ１５に記憶する。以上の各処理が完了してプリンタ８の初期登録がすべて終了したことを処理Ｓ１０で確認する。プリンタ８のメモリ１５への記憶処理に不具合が生じている場合、処理Ｓ４に進み異常内容を表示した後フローを終了する。処理Ｓ１０で正常に初期登録が終了すれば、プリンタ８の設置時の処理がすべて終了する。
【００４３】
このように、プリンタ８を核とするＰＯＳ端末１を店舗等へ設置する時に、プリンタ８の設置された位置情報や、プリンタ８が備えているＧＰＳ受信装置３およびＩＣカード読取／書込装置５、並びにプリンタ８自身のＩＤ番号をプリンタ８のメモリ１５に記憶する。これら位置情報、ＩＤ番号は、クレジット会社のホストコンピュータ４Ｂ、４Ｃにも登録されている。
【００４４】
次に、ＰＯＳ端末１の一部として店舗等に設置されたプリンタ８は、店舗等の開店時に起動されるが、起動時にプリンタ８が行う処理について説明する。図５は、プリンタの起動時の処理を示すフローチャートである。プリンタ８は、まず処理Ｓ１１において、ＧＰＳ受信装置３から現在の位置情報を取得する。取得した現在の位置情報と、プリンタ８のメモリ１５が記憶する登録位置情報とが一致しているかどうかを、処理Ｓ１２において制御部１６の判断部が判断する。現在の位置情報と登録位置情報とが一致していると判断すれば、処理Ｓ１３においてプリンタ８が起動する。即ちＰＯＳ端末１が起動する。
【００４５】
処理Ｓ１２で現在の位置情報と登録位置情報とが一致していなければ、処理Ｓ１４において、プリンタ８が不正に移動されていると判断する。そして、処理Ｓ１５において、ＰＯＳプリンタ９およびＩＣカード読取／書込装置５の機能を停止する。機能停止は、制御部１６の停止部が行う。最後に、処理Ｓ１６にて、ＰＯＳプリンタ９およびＩＣカード読取／書込装置５の機能が停止した旨の表示を行う。表示は、表示装置７への表示やＬＥＤの点燈などで行う。この場合、ＩＣカード１９の読み込み、レシートなどの印刷が行われず、ＩＣカード１９による決済ができなくなる。
【００４６】
次に、プリンタ８が起動しＰＯＳ端末１が機能して、ＩＣカード１９による決済が行われる場合の処理について説明する。図６は、ＩＣカード使用時のプリンタの処理を示すフローチャートである。なお、ＩＣカード１９はホストコンピュータ４Ｂを有するクレジット会社から発行されたものとして以下説明する。まず処理Ｓ２１において、ＩＣカード読取／書込装置５に装入されたＩＣカード１９の情報を、ＩＣカード読取／書込装置５によって読み取る。そして処理Ｓ２２で入力された暗証番号が、正しいかどうかを処理Ｓ２３で確認する。入力された暗証番号が正しくない場合には、処理Ｓ２４において暗証番号の再入力を指示する表示をおこなう。この時、処理Ｓ２５にて暗証番号が所定の回数だけ再入力されたかを確認する。再入力が所定の回数以下であれば、処理Ｓ２２に戻り暗証番号の入力を求める。再入力が所定の回数に達していれば、その時点で決済処理を中断して処理を終了する。
【００４７】
処理Ｓ２３で入力された暗証番号が正しい場合には、処理Ｓ２６において、ＧＰＳ受信装置３から現在位置の位置情報を取得する。位置情報が取得できたかどうかを処理Ｓ２７で判断し、取得できなければ処理Ｓ２８において位置情報取得不可の表示を行い、決済処理を終了する。
【００４８】
処理Ｓ２７で位置情報が取得できれば、処理Ｓ２９にて取得した位置情報と、プリンタ８、ＧＰＳ受信装置３およびＩＣカード読取／書込装置５のＩＤ番号と、ＩＣカード１９のカード番号と暗証番号をクレジット会社のホストコンピュータ４Ｂへ送信する。この送信は、制御部１６の送信部によって行われる。ここで、クレジット会社のホストコンピュータ４Ｂは、プリンタ８から送信された位置情報および各ＩＤ番号が、クレジット会社のホストコンピュータ４Ｂに登録されているものと一致しているかどうかを確認して、プリンタ８へ結果を返信する。
【００４９】
この返信結果を受信して、処理Ｓ３０において、位置情報あるいはいずれかのＩＤ番号が一致していないか否かを判断する。一致していない結果の場合には、処理Ｓ３１において店舗のＩＣカード１９による決済を停止する。位置情報がクレジット会社のホストコンピュータ４Ｂへの登録位置情報と一致しない場合、プリンタ８が不正に移動されたと判断する。また、各ＩＤ番号のいずれかがクレジット会社のホストコンピュータ４Ｂへの登録番号と一致しない場合、該当ＩＤ番号の装置が正規以外のものに置き換えられたか、あるいは改造された不正なものと判断する。これらは、制御部１６の判断部が判断し、停止部が決済を停止する。
【００５０】
処理Ｓ３０にて、位置情報および各ＩＤ番号が一致している結果の場合には、処理Ｓ３２へ進み、移動不可能な時間内に異なる複数場所でＩＣカード１９が使用されようとしているかどうかの情報をクレジット会社のホストコンピュータ４Ｂから受ける。ホストコンピュータ４Ｂは内蔵されている時計によりカードが使用されようとしている時刻を把握している。偽造された複数のＩＣカード１９が、例えば同時に複数地点で使用されようとしている場合や、あるいは二つの地点で移動不可能な時間内にＩＣカード１９が使われようとしている場合などを、ＩＣカード１９が使用されようとしている時点で掌握できる。
【００５１】
処理Ｓ３２でクレジット会社のホストコンピュータ４Ｂから不正使用されている旨の情報を受けた場合、プリンタ８は、処理Ｓ３３においてＩＣカード１９を使用不可とする処理を行う。一方、処理Ｓ３２の判断結果により、ＩＣカード１９が正しく使用されていれば処理Ｓ３４に進む。クレジット会社のホストコンピュータ４ＢはＩＣカード１９が過去使用された位置情報を把握している。処理Ｓ３４において、従来のＩＣカード１９の使用状況と異なる、例えば遠隔地でＩＣカード１９が使用されようとしているかどうか等の情報をクレジット会社のホストコンピュータ４Ｂから受ける。このような異常と思われるＩＣカード１９の使用状況でなければ、処理Ｓ３５においてＩＣカード１９の決済処理を行う。
【００５２】
処理Ｓ３４において、ＩＣカード１９の使用が従来の使用地域と比較して異常と推定される場合に、処理Ｓ３６にて、プリンタ８は、ＩＣカード１９を使用しようとしている顧客が、本人であることを確認するように求める表示を指示する。
【００５３】
そして、処理Ｓ３７では、本人と確認できた旨の入力があったか否かを判断する。本人と確認できた場合には、処理Ｓ３５に進みＩＣカード１９の決済を行う。一方、本人と確認できなかった旨の入力を受けた場合には、処理Ｓ３３へ進みＩＣカード１９を使用不可とする処理を行う。
【００５４】
このように、プリンタ８は、プリンタ８の起動時とＩＣカード１９の使用時とに、ＧＰＳ受信部３から現在位置情報を受信し、プリンタ８が正しく登録設置場所に設置されているかを都度確認する。また、ＩＣカード１９が不正に使用されようとしていないかを、カード会社のホストコンピュータ４Ｂと連携して事前に発見して、不正使用を防止する。
【００５５】
以上説明した実施例による効果をここでまとめて述べる。
【００５６】
（１）プリンタ８にＧＰＳ受信装置３、ＩＣカード読取／書込装置５およびＰＯＳプリンタ９を内蔵し、プリンタ８の制御部１６が、カード会社のホストコンピュータ４Ｂ、４Ｃ等と連携して制御することにより、プリンタ８が、ＰＯＳ端末１の核として機能できる。
【００５７】
（２）ＩＣカード１９が使用される毎に、ＧＰＳ受信装置３により現在の位置情報を取得して、プリンタ８の設置時に登録した登録位置情報と一致しているかどうかを確認するため、店舗に設置されたプリンタ８が、不正に移動されて使用されることを防止できる。
【００５８】
（３）プリンタ８を設置する際に、プリンタ８、ＧＰＳ受信装置３、ＩＣカード読取／書込装置５にそれぞれＩＤ番号が付与され、それらのＩＤ番号をプリンタとクレジット会社のコンピュータとが保有して、ＩＣカード１９の使用時に互いに照合するので、プリンタ８の不正な改造、内蔵装置の交換等を装置ごとにチェックでき、ＩＣカード１９の決済前に不正を発見できる。
【００５９】
（４）仕様が公開されていないプリンタ８に、ＧＰＳ受信装置３およびＩＣカード読取／書込装置５を内蔵することにより、不正な改造等ができにくくなる。またＰＯＳシステムのソフトウェア開発の負担が軽減される。
【００６０】
（５）ＧＰＳ受信装置３およびＩＣカード読取／書込装置５を一体化したプリンタ８であるため、それぞれを個別に接続する場合に考えられるＧＰＳ受信装置３だけを正規の位置において、実際のＩＣカード１９の決済を違う場所で不正に行うなどの行為を防止できる。
【００６１】
（６）クレジット会社にとって、盗難等によるプリンタ８の不正な移動、改造等を即察知できる。また不正を行おうとしている場所を特定し、警備会社や警察および他クレジット会社等へ通報することもできる。
【００６２】
（７）複数の偽造ＩＣカード１９が、移動不可能な時間内に複数地点で使用されようとしている場合や、同時に使用されようとしている場合に、ＩＣカード１９の決済前に即把握して、不正なＩＣカード１９を使用停止にできる。
【００６３】
（８）従来の使用状況と異なる遠隔地等でＩＣカード１９が使用されようとしている場合、本人確認を促す表示をしてＩＣカード１９の素性を事前に確認できる。
【００６４】
（９）プリンタ８から明細票を印刷して顧客に渡すときに、クレジット会社の認める正規の店舗であることを付記して、信用ある店舗であることを宣伝できる。また、クレジットカード会社の認めた正規の店舗である旨を印刷して顧客に渡し、顧客が信用できる店舗か事前に確認することができる。この際、店舗のイベント情報等も印刷して顧客に伝えることもできる。
【００６５】
（１０）盗難等されたプリンタ８であれば、明細票を印刷できなくなるため、顧客が明細票を求めて店舗側から提示されれば、信頼できる店舗であると顧客が確認することができる。
【００６６】
また、本発明は上記実施形態に限定されるものではなく、以下に述べるような変形例が挙げられる。
【００６７】
（変形例１）プリンタ８が一体で内蔵する装置は、ＩＣカード読取／書込装置５を除いたＧＰＳ受信装置３とＰＯＳプリンタ９とであっても良い。この構成でも、ＧＰＳ受信装置３による位置情報を基にして、ＰＯＳ端末１の核となるプリンタ８の現在の位置情報が、登録位置情報と異なっていないかを確認できる。またプリンタ８はサーマル方式に限らず、インクジェット方式やインパクト方式等でも良い。
【００６８】
（変形例２）カードはＩＣカード１９に限らず、磁気カードであっても良い。共に、クレジットカード以外にキャッシュカード、プリペイドカード、ポイントカード等としての活用も可能である。
【００６９】
（変形例３）処理Ｓ１５において、プリンタ８が不正に移動されたとしてＰＯＳプリンタ９とＩＣカード読取／書込装置５の機能を停止させるだけでなく、プリンタ８のすべての機能、あるいはプリンタ８が核となっているＰＯＳ端末１の機能を停止させても良い。
【００７０】
（変形例４）処理Ｓ２９において、ＧＰＳ受信部で受信した現在の位置情報は、クレジット会社のホストコンピュータ４Ｂへ送信せずに、プリンタ８のメモリ１５に記憶している登録位置情報と一致しているかどうかをプリンタ８が判断しても良い。こうすれば送受信の時間がかからず、より迅速な位置確認ができる。
【００７１】
（変形例５）処理Ｓ３０、処理Ｓ３２および処理Ｓ３４において、プリンタ８は、クレジット会社のホストコンピュータ４Ｂからの判断結果を受信して、その結果に従って次の処理に進んでいるが、クレジット会社のホストコンピュータ４Ｂの情報に基づいてプリンタ８が判断してその結果に基づいて次の処理へ進んでも良い。
【００７２】
（変形例６）ＩＤ番号は、プリンタ８、ＧＰＳ受信装置３およびＩＣカード読取／書込装置５のすべてに付与せずに、少なくともプリンタ８に付与する構成であっても良い。プリンタ８は、ＧＰＳ受信装置３およびＩＣカード読取／書込装置５を内蔵しており、内蔵装置を含めてプリンタ８を代表とするＩＤ番号の付与も、有効な方法である。
【００７３】
（変形例７）ＰＯＳ端末１として認証精度の優れた信用照会端末（ＣＡＴ）に、ＧＰＳ受信装置３を取り付けても良い。これによりＰＯＳ端末を構成するＣＡＴが盗難等されて不正使用されても、現在位置情報と登録位置情報との不一致からＣＡＴによる不正使用を防止できる。
【図面の簡単な説明】
【００７４】
【図１】ＧＰＳの位置情報を利用したＰＯＳシステムの構成図。
【図２】ＰＯＳ端末の構成を示す構成図。
【図３】ＧＰＳ受信装置およびカード読み取り装置を備えたプリンタの構成図。
【図４】プリンタの設置時の処理を示すフローチャート。
【図５】プリンタの起動時の処理を示すフローチャート。
【図６】ＩＣカード使用時のプリンタの処理を示すフローチャート。
【符号の説明】
【００７５】
１…ＰＯＳ端末、２…ＧＰＳ衛星、３…ＧＰＳ受信装置、５…ＩＣカード読取／書込装置、８…プリンタ、９…ＰＯＳプリンタ、１０…ロール紙、１１…印刷ヘッド、１５…メモリ、１６…制御部、１９…カードとしてのＩＣカード。
【図１】
2005301826.tif 000003
【図２】
2005301826.tif 000004
【図３】
2005301826.tif 000005
【図４】
2005301826.tif 000006
【図５】
2005301826.tif 000007
【図６】
2005301826.tif 000008